(57)【要約】      （修正有）【課題】一定比率での測定装置が可能な比率巻き尺を提供する。【解決手段】比率巻き尺は、ケース１０、巻取り部２０、比率ホイール部３０、巻戻しホイール４０、及び巻き尺部５０を有する。ケース１０は巻取り軸、比率軸、及び巻戻し軸を有し、比率ホイール部３０は比率軸の周りに取り付けられる第１外周ホイール、及び比率軸の周りに取り付けられる第２外周ホイールを有する。巻戻しホイール４０は巻戻し軸の周りに回転可能なように取り付けられ、巻き尺部５０は巻取り部２０と比率ホイール部３０の周りに巻かれ、第１テープと第２テープを有する。第１外周ホイールと第２外周ホイールが回転する場合、第１テープと第２テープは一定の比率での引き出しが可能であり、一度に２つの長さの測定が可能である。【選択図】図１
2016061780.tif 000002
【特許請求の範囲】
【請求項１】
ケースであって、側壁、内側面、前記側壁を貫通して形成されるテープ孔、前記内側面上に配置される巻取り軸、前記内側面上に配置され、前記巻取り軸の位置に対応する比率軸、及び、前記内側面上に配置され、前記テープ孔に隣接する巻戻し軸、を有するケースと、
巻取り部であって、前記巻取り軸の周りに取り付けられ、中心、及び前記中心上に形成され、前記巻取り軸の周りに取り付けられ、且つ前記巻取り軸上に固定される取付け管であって、２つの取付け端を有し、前記取付け端の１つは前記巻取り軸の周りに取り付けられ、前記巻取り軸上に固定される取付け管、を有する分割ディスク、及び、それぞれ前記２つの取付け端の周り及び前記分割ディスクの２つの側の横に取り付けられ、各々は内側端を有し、各々の前記内側端は前記分割ディスクの取付け管の周りに取り付けられ、かつ前記取付け管上に固定される２つの渦巻きばね、を有する巻取り部と、
比率ホイール部であって、前記比率軸の周りに取り付けられ、周囲面を有する第１外周ホイール、及び、前記比率軸の周りに取り付けられ、周囲面と前記第１外周ホイールの直径より小さい直径を有する第２外周ホイールであって、前記第１外周ホイールと前記第２外周ホイールが同期して回転し、それぞれ前記２つの渦巻きばね上に取り付けられる第２外周ホイール、を有する比率ホイール部と、
巻戻しホイールであって、前記巻戻し軸の周りに回転可能なように取り付けられる巻戻しホイールと、
巻き尺部であって、前記巻取り部と前記比率ホイール部の周りに巻かれ、前記巻取り軸の周りに取り付けられる渦巻きばねの１つの上に固定され、前記渦巻きばねの周りに解放可能なように巻かれる内側端、及び前記第１外周ホイールの周囲面の周りに巻かれ、前記巻戻しホイールを介して前記テープ孔から外へ延在する外側端、を有する第１テープ、及び前記もう１つの渦巻きばね上に固定され、前記渦巻きばねの周りに解放可能なように巻かれる内側端、及び前記第２外周ホイールの周囲面の周りに巻かれ、前記巻戻しホイールを介して前記テープ孔から外へ延在する外側端、を有する第２テープ、を有する巻き尺部と、を備える、
比率巻き尺。
【請求項２】
請求項１に記載の比率巻き尺であって、前記第１外周ホイールは前記第１外周ホイールの周囲面上に形成され、前記第１外周ホイールの周囲面から一定間隔で突出する複数の滑り止め歯を有し、前記第２外周ホイールは前記第２外周ホイールの周囲面上に形成され、前記第２外周ホイールの周囲面から一定間隔で突出する複数の滑り止め歯を有し、前記第１テープは前記第１テープを貫通して一定間隔で形成され、前記第１外周ホイールの滑り止め歯と係合する複数の滑り止め孔を有し、前記第２テープは前記第２テープを貫通して一定間隔で形成され、前記第２外周ホイールの滑り止め歯と係合する複数の滑り止め孔を有することを特徴とする比率巻き尺。
【請求項３】
請求項２に記載の比率巻き尺であって、前記第１テープは前記第１テープの外側端に形成され、前記第１テープの外側端を前記テープ孔で前記ケースまでに制限するように保持する停止タブを有し、前記第２テープは前記第２テープの外側端に形成され、前記第２テープの外側端を前記テープ孔で前記ケースまでに制限するように保持する停止タブを有することを特徴とする比率巻き尺。
【請求項４】
請求項１〜３のいずれか１項に記載の比率巻き尺であって、前記比率ホイール部は前記比率軸の周りに取り付けられ、前記第１外周ホイールと前記第２外周ホイールと同期して回転する位置決めホイールを有し、前記ケースは前記ケースの側壁上に形成される取付け台を有し、及び、前記比率巻き尺は前記取付け台上に取り付けられ、前記位置決めホイールと取り外し可能なように係合する位置決め部を有することを特徴とする比率巻き尺。
【請求項５】
請求項４に記載の比率巻き尺であって、前記位置決めホイールは、周囲面、及び前記位置決めホイールの周囲面上に形成される複数の位置決め歯を有し、前記位置決め部は、前記取付け台の上面上に固定される弾性素子、及び、前記ケースの取付け台の外側面に旋回可能に接続され、前記弾性素子上に延在し、且つ前記弾性素子を選択的に押圧する外側端、及び前記ケースの中へ延在し、且つ前記位置決めホイールの横にある内側端を有する旋回アームであって、内側端に形成され、前記位置決めホイールの位置決め歯と係合する係合ギアホイールを有する旋回アーム、を有することを特徴とする比率巻き尺。
【請求項６】
請求項１〜３のいずれか１項に記載の比率巻き尺であって、前記第１外周ホイールの外周に対する前記第２外周ホイールの外周の比率は黄金比（１：１．６１８）であることを特徴とする比率巻き尺。
【請求項７】
請求項１〜３のいずれか１項に記載の比率巻き尺であって、前記第１外周ホイールと前記第２外周ホイールは偏心同期ピンにより固定されることを特徴とする比率巻き尺。
【請求項８】
請求項４に記載の比率巻き尺であって、前記第１外周ホイール、前記第２外周ホイール、及び前記位置決めホイールは偏心同期ピンにより固定されることを特徴とする比率巻き尺。
【発明の詳細な説明】
【技術分野】
【０００１】
本発明は巻き尺に関し、特に一定比率での測定が可能である比率巻き尺に関する。
【背景技術】
【０００２】
建築やインテリアの設計分野では、部屋空間やあらゆる種類の家具の寸法を測定するために従来の巻き尺が使用され、ユーザは従来の巻き尺の測定により適切な比率に合致するように空間設計を計画できる。
【０００３】
従来の巻き尺は単一チャンネルのテープしか有していないので、ユーザは一度に１つの長さしか測定できない。従来の巻き尺の表面には、センチメートル、又はインチ、フィートなどの目盛りが付けられる。従来の巻き尺の表面には中国の習慣における幸運や不運の印さえ付けられるので、計測及び空間設計の際には、風水として良い又は悪いといった伝統的概念も考慮できる。
【０００４】
しかし、従来の巻き尺は一度に１つの長さしか測定できず、一度に２つの長さの測定や記録はできない。加えて、従来の巻き尺は一度に特定比率の複数の長さを測定できない。従って、従来の巻き尺は不便であり、且つ使用に時間がかかる。
【０００５】
更に、建築やインテリアの設計はバランスや視覚的美観を追求するので、黄金比（１：１．６１８）は、しばしば計画において原則の比率となる。従って、ユーザは比率を絶えず測定し、且つ計算する必要があり、従来の巻き尺は使用上不便である。そのため従来の巻き尺を改善する必要がある。
【０００６】
従来の巻き尺の欠点を克服するために、本発明は上記問題を緩和又は除去する比率巻き尺を提供する。
【発明の概要】
【発明が解決しようとする課題】
【０００７】
本発明の主な目的は一定比率での測定が可能な比率巻き尺を提供することである。
【課題を解決するための手段】
【０００８】
比率巻き尺は、ケース、巻取り部、比率ホイール部、巻戻しホイール、及び巻き尺部を有する。ケースは、巻取り軸、比率軸、及び巻戻し軸を有する。比率ホイール部は比率軸の周りに取り付けられる第１外周ホイール、及び比率軸の周りに取り付けられる第２外周ホイールを有する。巻戻しホイールは巻戻し軸の周りに回転可能なように取り付けられる。巻き尺部は巻取り部と比率ホイール部の周りに巻かれ、第１テープと第２テープを有する。第１外周ホイールと第２外周ホイールが回転する場合、第１テープと第２テープは一定の比率でケースから引き出され、ユーザは一度に２つの長さの測定が可能である。
【０００９】
本発明のその他の目的、利点及び新規的特徴は、添付図を伴う以下の詳細な説明によってより明らかになるであろう。
【図面の簡単な説明】
【００１０】
【図１】本発明による比率巻き尺の展開斜視図である。
【図２】図１における比率巻き尺の更なる展開斜視図である。
【図３】図１における比率巻き尺の拡大斜視図である。
【図４】図１における比率巻き尺の拡大側面図である。
【図５】図１における比率巻き尺の操作可能な状態における側面図である。
【発明を実施するための形態】
【００１１】
図１から４を参照する。本発明による比率巻き尺は、ケース１０、巻取り部２０、比率ホイール部３０、巻戻しホイール４０、巻き尺部５０、及び位置決め部６０を含む。
【００１２】
ケース１０は長方形の中空ケースであり、底部ケース１１及び側面カバー１２を有する。底部ケース１１は、内部、側面、開口、内側面、前面壁、上部壁、中間部、テープ孔１３、取付け台１４、巻取り軸１５、比率軸１６、及び巻戻し軸１７を有する。
底部ケース１１の内部は中空であり、開口が底部ケース１１の側面を貫通して形成され、底部ケース１１の内部に通じる。テープ孔１３は底部ケース１１の前面壁底部を貫通して形成され、底部ケース１１の内部に通じる。取付け台１４はＬ型であり、底部ケース１１の上部壁上に形成される。
【００１３】
巻取り軸１５、比率軸１６、及び巻戻し軸１７は底部ケース１１の内側面から底部ケース１１の開口に向かって突出する。巻取り軸１５と比率軸１６は底部ケース１１の中間部に配置され、互いに対応する位置にある。巻戻し軸１７は底部ケース１１上に配置され、テープ孔１３に隣接する。側面カバー１２は底部ケース１１の開口上に取り付けられる。本発明はケース１０の組み合わせ方向を限定しない、即ち、ケース１０、底部ケース１１及び側面カバー１２は、左右方向、上下方向、又は前後方向において、いずれの方向に組み合わせてもよい。
【００１４】
巻取り部２０はケース１０の中に取り付けられ、巻取り軸１５の周りに取り付けられ、分割ディスク２１及び２つの渦巻きばね２２を有する。分割ディスク２１は中心と取付け管を有する。分割ディスク２１の取付け管は分割ディスク２１の中心上に形成され、ここから突出し、分割ディスク２１がケース１０に対して回転可能なようにするために、巻取り軸１５の周りに取り付けられ、その上に固定される。取付け管は２つの取付け端を有し、２つの取付け端は、それぞれ分割ディスク２１の両側から外へ延在し、取付け端の１つは巻取り軸１５の周りに取り付けられ、その上に固定される。
２つの渦巻きばね２２は、それぞれ取付け管の２つの取付け端の周り、及び分割ディスク２１の両側の横に取り付けられる。２つの渦巻きばね２２の各々は内側端を有し、渦巻きばね２２の各々の内側端は分割ディスク２１の取付け管の周りに取り付けられ、その上に固定される。
【００１５】
比率ホイール部３０はケース１０の中に取り付けられ、比率軸１６の周りに回転可能なように取り付けられる。比率ホイール部３０は第１外周ホイール３１、第２外周ホイール３２、位置決めホイール３３、及び同期ピン３４を有する。第１外周ホイール３１は中心と接続管を有する。第１外周ホイール３１の接続管は第１外周ホイール３１の中心上に形成され、ここから突出し、比率軸１６の周りに取り付けられ、２つの接続端を有する。接続管の２つの接続端の１つは比率軸１６の周りに取り付けられ、もう１つの接続端は側面カバー１２に面する。第１外周ホイール３１は巻取り軸１５の周りに取り付けられる渦巻きばね２２の１つと並ぶ。第２外周ホイール３２は第１外周ホイール３１の接続管の比率軸１６の周りに取り付けられる接続端の周りに取り付けられる。第２外周ホイール３２はもう１つの渦巻きばね２２と並ぶ。第２外周ホイール３２は第１外周ホイール３１の直径より小さい寸法の直径を有する。第１外周ホイール３１の外周に対する第２外周ホイール３２の外周の比率は黄金比（１：１．６１８）である。
位置決めホイール３３は第１外周ホイール３１の接続管の側面カバー１２に面する接続端上に取り付けられ、第２外周ホイール３２と側面カバー１２の間にあり、周囲面と複数の位置決め歯３３０を有する。複数の位置決め歯３３０は位置決めホイール３３の周囲面上に形成される。
【００１６】
同期ピン３４は第１外周ホイール３１上の偏心位置上に形成され、第２外周ホイール３２と位置決めホイール３３を貫通して取り付けられることにより、第１外周ホイール３１、第２外周ホイール３２、及び位置決めホイール３３が同期して回転する。第１外周ホイール３１と第２外周ホイール３２は、取り外し可能なように組み合わされる２つの要素又は１つの一体化された形状のいずれにも限定されない。
第１外周ホイール３１は周囲面及び複数の滑り止め歯３１０を有し、滑り止め歯３１０は第１外周ホイール３１の周囲面上に一定間隔に形成され、ここから突出する。第２外周ホイール３２は周囲面及び複数の滑り止め歯３２０を有し、複数の滑り止め歯３２０は第２外周ホイール３２の周囲面上に一定間隔に形成され、ここから突出する。  
【００１７】
巻戻しホイール４０はケース１０の中に取り付けられ、巻戻し軸１７の周りに回転可能なように取り付けられる。好ましくは、巻戻しホイール４０は巻戻しスリーブ４１と２つの滑り止め環４２を有する。巻戻しスリーブ４１は巻戻し軸１７の周りに回転可能なように取り付けられ、２つの端部を有し、２つの端部の１つは底部ケース１１の内側面に面する。２つの滑り止め環４２はリング型で、それぞれ巻戻しスリーブ４１の２つの端部の周りに取り付けられる。
【００１８】
巻き尺部５０は巻取り部２０と比率ホイール部３０の周りに巻かれ、巻戻しホイール４０により巻き戻された後、ケース１０のテープ孔１３から外へ延在する。巻き尺部５０は第１テープ５１と第２テープ５２を有する。
【００１９】
第１テープ５１は内側端と外側端を有する。第１テープ５１の内側端は巻取り軸１５の周りに取り付けられる渦巻きばね２２の上に固定され、渦巻きばね２２の周りに解放可能なように巻かれる。第１テープ５１の外側端は第１外周ホイール３１の周囲面の周りに巻かれ、次に第１テープ５１の外側端は、巻戻しホイール４０の滑り止め環４２の１つを介してテープ孔１３から外へ延在する。
第２テープ５２は内側端と外側端を有する。第２テープ５２の内側端は側面カバー１２と分割ディスク２１の間に取り付けられるもう１つの渦巻きばね２２の上に固定され、渦巻きばね２２の周りに解放可能なように巻かれる。第２テープ５２の外側端は第２外周ホイール３２の周囲面の周りに巻かれ、次に第２テープ５２の外側端は巻戻しホイール４０のもう１つの滑り止め環４２を介してテープ孔１３から外へ延在する。
【００２０】
好ましくは、第１テープ５１は停止タブ５１０を有し、停止タブ５１０は第１テープ５１の外側端に形成され、テープ孔１３から外へ延在する。第２テープ５２は停止タブ５２０を有し、停止タブ５２０は第２テープ５２の外側端に形成され、テープ孔１３から外へ延在する。停止タブ５１０，５２０によって、第１テープ５１の外側端及び第２テープ５２の外側端がそれぞれテープ孔１３においてケース１０までに制限することが可能となっている。
【００２１】
好ましくは、第１テープ５１は複数の滑り止め孔５１１を有し、滑り止め孔５１１は第１テープ５１を貫通して一定間隔で形成され、それぞれ第１外周ホイール３１の滑り止め歯３１０と係合する。第２テープ５２は複数の滑り止め孔５２１を有し、滑り止め孔５２１は第２テープ５２を貫通して一定間隔で形成され、それぞれ第２外周ホイール３２の滑り止め歯３２０と係合する。
これにより、第１テープ５１と第２テープ５２は、第１テープ５１と第２テープ５２が引き出され又は引き込まれる場合、それぞれ第１外周ホイール３１及び第２外周ホイール３２に対してスリップせず、第１テープ５１と第２テープ５２の黄金比は、第１テープ５１と第２テープ５２の滑り止めにより保持することが可能である。
【００２２】
位置決め部６０はケース１０の取付け台１４上に取り付けられ、位置決めホイール３３と取り外し可能なように係合する。位置決め部６０は弾性素子６１と旋回アーム６２を有する。
弾性素子６１は取付け台１４の上面上に固定される。旋回アーム６２はケース１０の取付け台１４に隣接するケース１０の内側面上に形成され、ここから突出する。旋回アーム６２は外側端と内側端を有し、旋回アーム６２の外側端は弾性素子６１の上に延在し、弾性素子６１に対して選択的に押圧する。旋回アーム６２の内側端はケース１０に中へ延在し、位置決めホイール３３の横にある。好ましくは、旋回アーム６２は係合ギアホイール６２０を有する。係合ギアホイール６２０は旋回アーム６２の内側端に形成され、位置決めホイール３３の位置決め歯３３０と係合することにより、位置決めホイール３３、第１外周ホイール３１、及び第２外周ホイール３２は、旋回アーム６２の係合ギアホイール６２０と位置決めホイール３３の位置決め歯３３０の間の係合により、回転が停止される。
【００２３】
図４と５を参照する。比率巻き尺の使用時、ユーザは親指で位置決め部６０の旋回アーム６２の外側端を押圧することにより、係合ギアホイール６２０を位置決めホイール３３の位置決め歯３３０から分離させる。そして、ユーザは第１テープ５１と第２テープ５２を容易に外側へ引き出すことができる。
同時に、図３を参照する。第１外周ホイール３１と第２外周ホイール３２の滑り止め歯３１０，３２０は、第１テープ５１と第２テープ５２の摩擦力と滑り止め孔５１１，５１２による牽引力とにより回転を開始する。そして、第１テープ５１と第２テープ５２がケース１０から引き出された後、渦巻きばね２２の周りに巻かれた第１テープ５１と第２テープ５２は２つの渦巻きばね２２の圧縮を開始する。
【００２４】
巻き尺がユーザにより適当な長さに引き出される場合、ユーザの親指は位置決め部６０の旋回アーム６２の外側端を解放する。弾性素子６１は旋回アーム６２の外側端を上方へ押し上げることにより、係合ギアホイール６２０を元の場所へ戻し、位置決めホイール３３の位置決め歯３３０と係合させる。
位置決めホイール３３、第１外周ホイール３１、及び第２外周ホイール３２は同期ピン３４により制限されるので、第１外周ホイール３１と第２外周ホイール３２は回転できない。この時点で、第１テープ５１と第２テープ５２の引き出される長さは黄金比に維持されることにより、一度の測定により黄金比で２つの長さを記録できる。
【００２５】
ユーザが測定を終えると、ユーザは旋回アーム６２の外側端を再度押圧することにより、旋回アーム６２のギアホイール６２０を位置決めホイール３３の位置決め歯３３０から分離させ、第１テープ５１と第２テープ５２を同時に解放する。これによって、巻取り部２０の２つの圧縮された渦巻きばね２２が、弾力的に元の場所へ戻り、停止タブ５１０，５２０がテープ孔１３でケース１０に当接するまでの、第１テープ５１と第２テープ５２の巻取りを開始することにより、第１テープ５１と第２テープ５２の巻取り動作が完了する。
【００２６】
本発明の構造および機能の詳細と共に、本発明の多くの特徴および利点が前記の記述によって明らかになったが、本開示は一例に過ぎず、付属の特許請求の範囲に記載される語句の広範な一般的意味により示される本発明の諸原理の範囲内で、特に部品の形状、寸法及び配置に関して、細部まで変更を行うことが可能である。
【図１】
2016061780.tif 000003
【図２】
2016061780.tif 000004
【図３】
2016061780.tif 000005
【図４】
2016061780.tif 000006
【図５】
2016061780.tif 000007
【外国語明細書】
2016061780000001.pdf